(57)【要約】【課題】内容物の詰替作業を安定した状態で確実に行うことができるパウチ容器を提供する。【解決手段】柔軟性シートによって形成された扁平状態に折り畳み可能なパウチ１０と、このパウチ１０に装着されるスパウト２０と、パウチ１０に接着された、専用ボトルの口部に嵌合して専用ボトルへの注入動作を補助する注入補助部材３０とから構成されている。注入補助部材３０は、専用ボトルの口部に外嵌される嵌合穴３１ａを有する本体部３１と、この本体部３１の上端から上方側にそれぞれ張り出して、その先端部がパウチ１０の背面側の上縁シール部に接着される左右一対の接続部３２、３２と、本体部３１の下端中央部から下方側に張り出す押え部３３とを備えており、本体部３１の嵌合穴３１ａを専用ボトルの口部に外嵌した状態で、押え部３３を専用ボトルの肩部に押さえ付けて保持することができるようになっている。【選択図】        図２
2014184966.tif 000002
【特許請求の範囲】
【請求項１】
特定容器に移し替えるための内容物を充填するパウチ容器であって、
柔軟性シートによって形成されたパウチと、
前記パウチに設けられた注出口部と、
前記パウチまたは前記注出口部に連設された、特定容器の口部に係合して特定容器への注入動作を補助する注入補助部材とを備えていることを特徴とするパウチ容器。
【請求項２】
前記注入補助部材は、特定容器の口部に外嵌される嵌合穴または特定容器の口部に嵌入される管状の注入口部を備えている請求項１に記載のパウチ容器。
【請求項３】
前記注入補助部材を前記注出口部の軸方向の先端側に張り出させた状態で、前記注出口部の開口部が前記嵌合穴または前記注入口部の内側に位置するようになっている請求項２に記載のパウチ容器。
【請求項４】
前記注入補助部材は、前記嵌合穴を特定容器の口部に外嵌した状態または前記注入口部を特定容器の口部に嵌入した状態で、特定容器に押さえ付ける押え部を有している請求項２または３に記載のパウチ容器。
【発明の詳細な説明】
【技術分野】
【０００１】
この発明は、例えば、専用ボトルに詰め替えるための洗剤、調味料等の紛体、固体又は液体の内容物を充填するパウチ容器に関する。
【背景技術】
【０００２】
例えば、専用ボトルに詰め替えるための洗剤等の液体商品を充填するパウチ容器としては、図１１に示すようなものがある。このパウチ容器５０は、同図（ａ）、（ｂ）に示すように、柔軟性シートによって袋状に形成されたボトムガセットタイプのパウチ５１と、注出口部として、このパウチ５１の上縁部に装着された、口部５２ａをスクリューキャップ５２ｂによって開閉することができるスパウト５２とを備えており、こういったパウチ容器５０に充填された詰替用の液体商品を専用ボトル等に移し替える際は、同図（ｂ）に示すように、スパウト５２の口部５２ａを閉塞しているスクリューキャップ５２ｂを外し、図１２に示すように、容器全体を徐々に傾けながら、スパウト５２の口部５２ａを専用ボトル６０の口部６１の上端縁に沿わせるようにして、液体商品をスパウト５２の口部５２ａから専用ボトル６０の口部６１に注ぎ入れることになる。
【先行技術文献】
【特許文献】
【０００３】
【特許文献１】特開平０７−１８７２０２号公報
【特許文献２】特開２００１−０５５２５１号公報
【発明の概要】
【発明が解決しようとする課題】
【０００４】
しかしながら、こういった詰替用の液体商品を充填するパウチ容器５０は、当然のことながら保形性がなく、所定の姿勢を維持することが難しいので、内容物の詰替作業中に内容物をパウチ容器から専用ボトル等にうまく注ぎ入れることができず、内容物をこぼしてしまう場合があり、内容物の詰替作業を安定した状態で確実に行うことが困難であるといった問題がある。
【０００５】
特に、手に震えがある高齢者や障害者等の場合は、パウチ容器５０のスパウト５２の口部５２ａを専用ボトル６０の口部６１の上端縁に上手く沿わせることができなかったり、パウチ容器５０のスパウト５２の口部５２ａを専用ボトル６０の口部６１の上端縁に一旦沿わせることができたとしても、内容物の詰替作業中にその状態を保持することが難しかったりするといった問題もある。
【０００６】
そこで、この発明の課題は、内容物の詰替作業を安定した状態で確実に行うことができるパウチ容器を提供することにある。
【課題を解決するための手段】
【０００７】
上記の課題を解決するため、請求項１に係る発明は、特定容器に移し替えるための内容物を充填するパウチ容器であって、柔軟性シートによって形成されたパウチと、前記パウチに装着された注出口部と、前記パウチまたは前記注出口部に連設された、特定容器の口部に係合して特定容器への注入動作を補助する注入補助部材とを備えていることを特徴とするパウチ容器を提供するものである。
【０００８】
また、請求項２に係る発明は、請求項１に係る発明のパウチ容器において、前記注入補助部材は、特定容器の口部に外嵌される嵌合穴または特定容器の口部に嵌入される管状の注入口部を備えていることを特徴としている。
【０００９】
また、請求項３に係る発明は、請求項２に係る発明のパウチ容器において、前記注入補助部材を前記注出口部の軸方向の先端側に張り出させた状態で、前記注出口部の開口部が前記嵌合穴または前記注入口部の内側に位置するようになっていることを特徴としている。
【００１０】
また、請求項４に係る発明は、請求項２または３に係る発明のパウチ容器において、前記注入補助部材は、前記嵌合穴を特定容器の口部に外嵌した状態または前記注入口部を特定容器の口部に嵌入した状態で、特定容器に押さえ付ける押え部を有していることを特徴としている。
【発明の効果】
【００１１】
以上のように、請求項１に係る発明のパウチ容器は、特定容器の口部に係合させた注入補助部材によって特定容器への注入動作を補助することができるので、手に震えがある高齢者や障害者等であっても、内容物の詰替作業を安定した状態で確実に行うことができる。
【００１２】
また、請求項２に係る発明のパウチ容器は、注入補助部材の嵌合穴を特定容器の口部に外嵌または注入補助部材の注入口部を特定容器の口部に嵌入することによって、特定容器の口部に連結した状態で内容物の詰替作業を行うことができるので、手に震えがある高齢者や障害者等であっても、一方の手でパウチ容器を、もう一方の手で特定容器をそれぞれ支えた状態で内容物の詰替作業を行うことが可能となり、作業性が向上する。
【００１３】
また、請求項３に係る発明のパウチ容器は、注入補助部材をスパウトの軸方向の先端側に張り出させた状態で、注出口部の開口部が嵌合穴または注入口部の内側に位置するようになっているので、注入補助部材の嵌合穴を特定容器の口部に外嵌または注入補助部材の注入口部を特定容器の口部に嵌入することによって、注出口部の開口部を特定容器の口部に位置決めすることができる。従って、内容物の詰替作業を行う際、手に震えがある高齢者や障害者等であっても、注出口部の開口部を特定容器の口部の上端縁に容易に沿わせることができると共に、内容物の詰替作業中に注出口部の開口部が特定容器の口部から脱落し難く、内容物をこぼさずに特定容器にうまく注ぎ入れることができる。
【００１４】
また、請求項４に係る発明のパウチ容器は、内容物の詰替作業を行う際、注入補助部材の嵌合穴を特定容器の口部に外嵌した状態または注入口部を特定容器の口部に嵌入した状態で押え部を特定容器に押さえ付けることによって、特定容器の口部に対する注入補助部材の連結が解除されることがなく、内容物の詰替作業をさらに安定した状態で確実に行うことができる。
【図面の簡単な説明】
【００１５】
【図１】この発明に係るパウチ容器（内容物が充填された状態）の一実施形態を背面側から視た斜視図である。
【図２】（ａ）は同上のパウチ容器を示す背面図、（ｂ）は同上のパウチ容器を示す側面図である。
【図３】内容物を充填する前の同上のパウチ容器を扁平に折り畳んで注入補助部材を上方側に折り返した状態を示す背面図である。
【図４】（ａ）は同上のパウチ容器の注入補助部材を専用ボトルの口部に取り付けた状態を示す平面図、（ｂ）は同上の状態を示す側面図である。
【図５】同上のパウチ容器から専用ボトルへの内容物の詰替作業を説明するための側面図である。
【図６】（ａ）は注入補助部材の他の実施形態を示す平面図、（ｂ）は（ａ）のＸ−Ｘ線に沿った断面図である。
【図７】同上の注入補助部材を構成している注入口部を専用ボトルの口部に嵌入した状態を示す部分断面図である。
【図８】同上のパウチ容器の変形例を示す背面図である。
【図９】他の実施形態であるパウチ容器を示す背面図である。
【図１０】同上のパウチ容器から専用ボトルへの内容物の詰替作業を説明するための側面図である。
【図１１】（ａ）は注出口部としてスパウトが装着された一般的なパウチ容器を示す斜視図、（ｂ）は同上のパウチ容器におけるスクリューキャップを外した状態を示す斜視図である。
【図１２】同上のパウチ容器から専用ボトルへの内容物の詰替作業を説明するための斜視図である。
【発明を実施するための形態】
【００１６】
以下、実施の形態について図面を参照して説明する。図１〜図３は、専用ボトルに詰め替えるための洗剤、調味料等の紛体、固体又は液体の内容物が充填されるパウチ容器１を示している。このパウチ容器１は、同図に示すように、ポリエチレンやポリプロピレン等の熱接着性を有する合成樹脂フィルムの外面に、ガスバリア性シート等を積層した二軸延伸ポリアミドフィルムや二軸延伸ポリエステルフィルム等をラミネートした厚さ８０〜２００μｍ程度の柔軟性シートによって形成された、扁平状態に折り畳み可能なパウチ１０と、注出口部としてこのパウチ１０に装着される熱接着性樹脂によって形成されたスパウト２０と、パウチ１０に接着された、専用ボトルの口部に嵌合して専用ボトルへの注入動作を補助する注入補助部材３０とから構成されており、注入補助部材３０は、パウチ１０を形成している柔軟性シートと同一の柔軟性シートによって形成されている。
【００１７】
前記パウチ１０は、図１〜図３に示すように、正面部及び背面部を形成する外装シート１１、１２及び両外装シート１１、１２の間に下部から内側に折り込まれてボトムガセット部を形成するガセットシート１３から構成されており、折り込まれたガセットシート１３の周縁部が外装シート１１、１２の下部周縁にヒートシールされると共に、外装シート１１、１２におけるガセットシート１３にヒートシールされない両側縁部同士が相互にヒートシールされることで袋状に形成されている。また、ガセットシート１３の両側縁には、二つ折りした状態で相互に一致する切欠部１３ａがそれぞれ形成されており、この切欠部１３ａを介して、外装シート１１、１２の両側縁における下端部同士が部分的にヒートシールされている。なお、図１〜図３における網掛け表示部分が、パウチ１０のヒートシール部分を示している。
【００１８】
前記スパウト２０は、ポリエチレンやポリプロピレン等の熱接着性樹脂の成形物からなり、図３に示すように、外装シート１１、１２の上端縁に挟み込まれた状態で外装シート１１、１２にヒートシールされる平面舟形状の装着部２２及びこの装着部２２に連設された、パウチ１０の外側に突出する口部２３を有する本体部２１と、この本体部２１における口部２３を開閉するスクリューキャップ２４とを備えている。そして、口部２３の先端が開口部として機能し、そこから内容物が抽出される。
【００１９】
前記注入補助部材３０は、図１〜図３に示すように、専用ボトルの口部に外嵌される嵌合穴３１ａを有する本体部３１と、この本体部３１の上端から上方側にそれぞれ張り出す左右一対の接続部３２、３２と、本体部３１の下端中央部から下方側に張り出す押え部３３とを備えており、本体部３１の嵌合穴３１ａを専用ボトルの口部に外嵌した状態で、押え部３３を専用ボトルの肩部に押さえ付けて保持することができるようになっている。
【００２０】
前記接続部３２、３２は、図１及び図２に示すように、その先端部が外装シート１２のヒートシールされた上縁部の外面にホットメルト接着剤等を用いて接着されており、図３に二点鎖線で示すように、外装シート１２の外面側で垂下している注入補助部材３０を、同図に実線で示すように、接着部分の下端位置で上方側に折り返すと、スパウト２０の口部２３の先端（開口部）が、嵌合穴３１ａ内の中心位置よりも下方側（接続部３２側）の半円領域（同図に一点鎖線で囲まれた領域）内に位置するように、嵌合穴３１ａの形成位置が設定されている。なお、図１及び図２の交斜線表示部分が接続部３２、３２の接着部分を示している。
【００２１】
以上のように構成されたパウチ容器１は、図４（ａ）、（ｂ）に示すように、スパウト２０の口部２３からスクリューキャップ２４を外した状態で、注入補助部材３０を起こして、その嵌合穴３１ａを専用ボトルＢの口部ｍに外嵌すると、スパウト２０の口部２３が専用ボトルＢの口部ｍの上端縁に載置した状態に位置決めされるので、図５に示すように、注入補助部材３０の押え部３３を専用ボトルＢの肩部に押さえ付けるようにして専用ボトルＢを一方の手で保持した状態で、他方の手でパウチ容器１の胴部を持ち上げて内容物を専用ボトルＢに移し替えればよい。
【００２２】
なお、注入補助部材３０の嵌合穴３１ａは、キャップが装着される専用ボトルＢの口部ｍの先端側の小径部分ｍｄに遊嵌できるが、その下の一回り大きい大径部分ｌｄには嵌合できないような穴径を有しているので、押え部３３を専用ボトルＢの肩部に押さえ付けても、注入補助部材３０の本体部３１が小径部分ｍｄの下方側に位置ずれすることはない。
【００２３】
以上のように、このパウチ容器１は、注入補助部材３０をスパウト２０の軸方向の先端側に張り出させた状態、即ち、外装シート１２の外面側で垂下している注入補助部材３０を、接着部分の下端位置で上方側に折り返した状態で、スパウト２０の口部２３の先端が嵌合穴３１ａにおける中心位置よりも接続部３２側の半円領域内に位置するようになっているので、注入補助部材３０の嵌合穴３１ａを専用ボトルＢの口部ｍに外嵌することによって、スパウト２０の口部２３を、その先端が専用ボトルＢの口部ｍの中心位置よりも手前（パウチ１０側）の半円領域内に位置するように、専用ボトルＢの口部ｍの上端縁に載置した状態で位置決めすることができる。
【００２４】
従って、内容物の詰替作業を行う際、手に震えがある高齢者や障害者等であっても、スパウト２０の口部２３を専用ボトルＢの口部ｍの上端縁の適正位置に容易に沿わせることができると共に、内容物の詰替作業中にスパウト２０の口部２３が専用ボトルＢの口部ｍから脱落することがなく、内容物をこぼさずに専用ボトルＢ内にうまく注ぎ入れることができる。
【００２５】
また、このパウチ容器１は、注入補助部材３０の嵌合穴３１ａを専用ボトルＢの口部ｍに外嵌することによって、専用ボトルＢの口部ｍに連結した状態で内容物の詰替作業を行うことができるので、手に震えがある高齢者や障害者等であっても、一方の手でパウチ容器を、もう一方の手で専用ボトルＢをそれぞれ支えた状態で内容物の詰替作業を行うことが可能となり、作業性が向上する。
【００２６】
また、内容物の詰替作業を行う際、注入補助部材３０の嵌合穴３１ａを専用ボトルＢの口部ｍに外嵌した状態で押え部３３を専用ボトルＢの肩部に押さえ付けるようにして専用ボトルＢを一方の手で保持すると、専用ボトルＢの口部ｍに対する注入補助部材３０の連結が解除されることがないので、内容物の詰替作業を安定した状態で確実に行うことができる。
【００２７】
なお、上述した実施形態では、専用ボトルＢの口部ｍに嵌合可能な嵌合穴３１ａが形成された注入補助部材３０を採用しているが、これに限定されるものではなく、例えば、図６（ａ）、（ｂ）に示すように、本体部３１Ａに注入穴３１Ａａを形成すると共に、裏面側における注入穴３１Ａａの周縁に注入口部３４を接着固定した注入補助部材３０Ａを採用することも可能である。
【００２８】
前記注入口部３４は、専用ボトルＢの口部ｍに嵌入可能な管状の本体部３４ａと、この本体部３４ａの一端に連設された鍔部３４ｂとから構成された樹脂成形品であり、鍔部３４ｂが本体部３１Ａにおける注入穴３１Ａａの周縁に接着固定されている。
【００２９】
また、図には示していないが、この注入補助部材３０Ａを採用したパウチ容器は、外装シート１２の外面側で垂下している注入補助部材３０Ａを、接着部分の下端位置で上方側に折り返すと、スパウト２０の口部２３の先端が、管状の本体部３４ａ内の中心位置よりも下方側（接続部３２側）の半円領域内に位置するように、注入穴３１Ａａの形成位置及び注入口部３４の取付位置が設定されている。
【００３０】
この注入補助部材３０Ａを採用する場合は、図７に示すように、注入口部３４の本体部３４ａを専用ボトルＢの口部ｍに嵌入することによって、上述した注入補助部材３０を採用したパウチ容器１と同様に、注入補助部材３０Ａを介して、パウチ容器が専用ボトルＢの口部ｍに連結されると共に、そのスパウトの口部が専用ボトルＢの口部ｍの上端縁の適正位置に位置決めされるので、注入補助部材３０Ａの押え部３３を専用ボトルＢの肩部に押さえ付けるようにして専用ボトルＢを一方の手で保持した状態で、パウチ内に充填された内容物を注入口部３４を介して専用ボトルＢ内に注入すればよい。
【００３１】
また、上述した各実施形態では、注入補助部材３０や、注入補助部材３０Ａにおける注入口部３４以外の部分を柔軟性シートによって形成しているが、これに限定されるものではなく、注入補助部材全体を樹脂成形品によって形成することも可能である。特に、樹脂成形品によって形成された注入補助部材は保形性が高くなるので、専用ボトルの口部に対するスパウトの位置決め精度がさらに向上するという効果がある。
【００３２】
また、上述した各実施形態では、注入補助部材３０、３０Ａをパウチ１０に接着固定しているが、これに限定されるものではなく、接続部を改変することによって、スパウト２０に接着固定することも可能である。
【００３３】
また、上述した各実施形態では、パウチ１０とは個別に形成された注入補助部材３０、３０Ａを接着剤を用いてパウチ１０に接着固定しているが、これに限定されるものではなく、注入補助部材３０、３０Ａをパウチ１０に一体的に形成することも可能である。具体的には、図８に示すように、外装シート１１の上端縁に注入補助部材３０の接続部３２が繋がるように、外装シート１１と注入補助部材３０とを一体的に形成すると共に、外装シート１２の上端縁における注入補助部材３０の接続部３２に対応する部分に切欠部１２ａを形成しておき、パウチ１０を製袋する際、注入補助部材３０部分を外装シート１２側に折り返して、この切欠部１２ａを介して、外装シート１１の上縁部と注入補助部材３０の接続部３２とをヒートシールすればよい。
【００３４】
また、上述した各実施形態では、外装シート１２の外面側で垂下している注入補助部材３０、３０Ａを、接着部分の下端位置で上方側に折り返した状態で、スパウト２０の口部２３の先端が嵌合穴３１ａや注入口部３４の管状の本体部３４ａにおける中心位置よりも接続部３２側の半円領域内に位置するように嵌合穴３１ａや注入穴３１Ａａ及び注入口部３４の位置を設定しているが、これに限定されるものではなく、少なくとも、スパウト２０の口部２３の先端が嵌合穴３１ａや注入口部３４の管状の本体部３４ａ内に位置していればよい。
【００３５】
図９は他の実施形態を示している。このパウチ容器２も、上述したパウチ容器１と基本的には同一構成を有しているので、同一構成要素には同一符号を付してその説明を省略し、異なる構成要素である注入補助部材３０Ｂについて詳細に説明する。
【００３６】
前記注入補助部材３０Ｂは、同図に示すように、内側シートＩＳと外側シートＯＳとを重ね合わせた状態で傾斜した両側縁部同士を接着することによって漏斗状に形成された本体部３１Ｂと、この本体部３１Ｂを形成している内側シートＩＳの上端から上方側にそれぞれ張り出す左右一対の接続部３２、３２と、本体部３１Ｂを形成している外側シートＯＳの上端中央部から上方側に張り出す開口操作部３５とを備えており、接続部３２、３２は、その先端部が外装シート１２のヒートシールされた上縁部の外面にホットメルト接着剤等を用いて接着されている。なお、図９の交斜線表示部分が接続部３２、３２の接着部分を示している。
【００３７】
前記本体部３１Ｂを構成している外側シートＯＳは、その上端から下端に向かって先細テーパ状に形成されているのに対して、本体部３１Ｂを構成している内側シートＩＳは、その下半部が外側シートＯＳと同一形状を有していると共に、その上半部が外側シートＯＳの上端位置からパウチ１０の上縁シール部の下端縁付近まで張り出しており、その張り出した上半部は上端に向かって先細テーパ状に形成されている。
【００３８】
以上のように構成されたパウチ容器２に充填された内容物の詰替作業を行う際は、図１０に示すように、一方の手で注入補助部材３０Ｂの開口操作部３５を摘んで外側に引っ張ることによって、注入補助部材３０Ｂの本体部３１Ｂを漏斗状に開口させた状態で、その本体部３１Ｂにおける小径の下端開口部を専用ボトルＢの口部ｍに挿入し、他方の手でパウチ容器２の胴部を持ち上げて内容物を、漏斗状の本体部３１Ｂ内に注ぎ入れることで、専用ボトルＢに移し替えればよい。
【００３９】
以上のように、このパウチ容器２の注入補助部材３０Ｂは、本体部３１Ｂが漏斗状に形成されており、その本体部３１Ｂにおける大径の上端開口部に内容物を注ぎ入れればよいので、手に震えがある高齢者や障害者等であっても、内容物をこぼさずに専用ボトルＢに確実に詰め替えることができる。
【００４０】
また、上述した各実施形態では、パウチ１０がボトムガセットタイプのパウチ容器について説明したが、これに限定されるものではなく、サイドガセットタイプのパウチや、ガセットを有さない所謂平パウチの上縁シール部に上述した注入補助部材３０、３０Ａ、３０Ｂを接着固定することも可能である。
【００４１】
また、上述した各実施形態では、パウチの上縁シール部にスパウトが装着されたパウチ容器について説明したが、これに限定されるものではなく、上縁コーナ部を切除することによって形成された傾斜縁にスパウトが装着されたパウチ容器や、側縁にスパウトが装着されたパウチ容器についても本発明を適用することができる。こういったパウチ容器の場合は、スパウトが装着されている傾斜縁シール部や側縁シール部に上述した注入補助部材３０、３０Ａ、３０Ｂを接着固定すればよい。
【００４２】
また、上述した各実施形態では、注出口部としてスクリューキャップを備えた開閉可能なスパウトが装着されたパウチ容器について説明したが、これに限定されるものではなく、破断線の位置で先端部を切除することにより開封して開口部を形成する所謂ワンピーススパウトが装着されたパウチ容器や、これらスパウトのような別途の部材を装着せず、パウチ自体の形状やパウチのシール形状を変形して形成した注出口部を有するパウチ容器についても本発明を適用することができる。こういったパウチ容器の場合は、ワンピーススパウトが装着されているシール部や、注出口部として機能する部位の基端位置に上述した注入補助部材３０、３０Ａ、３０Ｂを接着固定すればよい。
【００４３】
ただし、注出口部としてワンピーススパウトが装着されたパウチ容器やパウチ自体が注出口部を有しているパウチ容器に上述した注入補助部材３０、３０Ａを接着固定する場合は、上述したように、注入補助部材３０、３０Ａを上方側に折り返した状態で、それぞれの注出口部の先端部を切除することによって形成された開口部が、嵌合穴３１ａや管状の本体部３４ａ内または嵌合穴３１ａや管状の本体部３４ａ内の中心位置よりも接続部３２側の半円領域内に位置するように、嵌合穴３１ａや注入穴３１Ａａの形成位置及び注入口部３４の取付位置を設定しておく必要があることは言うまでもない。
【産業上の利用可能性】
【００４４】
本発明は、専用ボトルに詰め替えるための液体商品を充填するパウチ容器に利用することができる。
【符号の説明】
【００４５】
１、２  パウチ容器
１０  パウチ
１１、１２  外装シート
１３  ガセットシート
１２ａ、１３ａ  切欠部
２０  スパウト
２１  本体部
２２  装着部
２３  口部
２３ａ  開口部（口部の先端部）
２４  スクリューキャップ
３０、３０Ａ、３０Ｂ  注入補助部材
３１、３１Ａ、３１Ｂ  本体部
３１ａ  嵌合穴
３１Ａａ  注入穴
３２  接続部
３３  押え部
３４  注入口部
３４ａ  本体部
３４ｂ  鍔部
３５  開口操作部
Ｂ  専用ボトル
ＩＳ  内側シート
ｍ  口部
ｍｄ  小径部分
ｌｄ  大径部分
ＯＳ 外側シート
【図１】
2014184966.tif 000003
【図２】
2014184966.tif 000004
【図３】
2014184966.tif 000005
【図４】
2014184966.tif 000006
【図５】
2014184966.tif 000007
【図６】
2014184966.tif 000008
【図７】
2014184966.tif 000009
【図８】
2014184966.tif 000010
【図９】
2014184966.tif 000011
【図１０】
2014184966.tif 000012
【図１１】
2014184966.tif 000013
【図１２】
2014184966.tif 000014